(57)【要約】本発明は、無線アクセスノード（３０）と中継ノード（２０）との間の無線通信ネットワークにおける情報の送信に関する。新しい基本原則によれば、アクセスノードから中継ノードへのダウンリンク送信用に割り当てられるダウンリンクサブフレームのそれぞれに対して、アップリンク送信用のアップリンク送信サブフレームが４つの送信時間間隔後に割り当てられる。ダウンリンクサブフレームが割り当てられるのは、このサブフレームと同じ送信時間間隔の、中継ノードからユーザ装置への送信用の別のサブフレームが、サブフレームの制御領域を越えてデータが受信されないことをユーザ（１０）に知らせる種類のサブフレームのときだけである。
2013502793.tif 000002
【特許請求の範囲】
【請求項１】
無線通信ネットワークにおいて無線アクセスノードと中継ノードとの間での情報の送信を制御する方法であって、当該情報は複数のサブフレームのシーケンスによって送信され、サブフレームは、制御領域と、前記送信される情報を含む情報領域とを有し、サブフレームは、送信時間間隔に対応しており、
前記方法は、
前記無線アクセスノードから前記中継ノードへ、ダウンリンクで情報を送信するために複数のダウンリンクサブフレームを割り当てるステップであって、前記中継ノードからユーザ装置へ送信するための同一の送信時間間隔に含まれる他のサブフレームが、前記制御領域を超えて受信されるデータが無いことを前記ユーザ装置に示すタイプのサブフレームであるときにだけ、ダウンリンクでの送信のためのダウンリンクサブフレームが割り当てられる、ステップと、
割り当てられたダウンリンクサブフレームのそれぞれに対して、前記中継ノードから前記無線アクセスノードへ情報をアップリンクで送信するためのアップリンクサブフレームを、４つの送信時間間隔の後に、割り当てるステップと
を有することを特徴とする方法。
【請求項２】
前記他のサブフレームのタイプは、マルチメディア・ブロードキャスト・マルチキャスト・サービス・オーバー・シングル・フリークウェンシー・ネットワーク（ＭＢＳＦＮ）のサブフレームであることを特徴とする請求項１に記載の方法。
【請求項３】
前記ダウンリンクサブフレームは、４つの送信時間間隔の後に割り当てられた前記アップリンクサブフレームにおいて前記無線アクセスノードへ情報を送信するためのスケジューリング割り当てを示していることを特徴とする請求項１または２に記載の方法。
【請求項４】
前記無線アクセスノードから前記中継ノードへの前記ダウンリンクサブフレームは、前記送信される情報を含み、前記４つの送信時間間隔の後に割り当てられた前記アップリンクサブフレームは、アクノリッジメントのフィードバックを含んでいることを特徴とする請求項１ないし３のいずれか１項に記載の方法。
【請求項５】
前記中継ノードからアップリンクサブフレームを受信するときに、前記受信したアップリンクサブフレームに含まれている前記情報の変化がハイブリッド自動再送要求（ＨＡＲＱ）プロセスにおいて検査され、当該アップリンクサブフレームについて変化が検出されない場合、前記アクノリッジメントのフィードバックは前記中継ノードへと送信されず、変化して受信されたアップリンクサブフレームについて、前記ハイブリッド自動再送要求（ＨＡＲＱ）プロセスに関連した次に利用可能なダウンリンクサブフレームにおいてアップリンクグラントが前記中継ノードへ送信されることを特徴とする請求項１ないし４のいずれか１項に記載の方法。
【請求項６】
前記アップリンクグラントは、新しいデータが要求されているかどうかを示すインジケータともに送信されることを特徴とする請求項５に記載の方法。
【請求項７】
前記中継ノードへ情報をダウンリンクで送信するための複数のサブフレームは、前記中継ノードから前記ユーザ装置へ送信されるサブフレームのタイプの所定の周期性が考慮されて、割り当てられることを特徴とする請求項１ないし６のいずれか１項に記載の方法。
【請求項８】
中継ノードとの間で、複数のサブフレームのシーケンスによって提供される情報の送受信を制御する、無線通信ネットワークの無線アクセスノードであって、当該サブフレームは、制御領域と、送信される情報を含む情報領域とを有し、サブフレームは、送信時間間隔に対応しており、
前記無線アクセスノードは、
前記中継ノードから前記無線アクセスノードへ情報をアップリンクで送信するための複数のアップリンクサブフレームと、前記無線アクセスノードから前記中継ノードへ、ダウンリンクで情報を送信するための複数のダウンリンクサブフレームを割り当てるスケジューラを有し、
前記スケジューラは、前記中継ノードからユーザ装置へ送信するための同一の送信時間間隔に含まれる他のサブフレームが、前記制御領域を超えて受信されるデータが無いことを前記ユーザ装置に示すタイプのサブフレームであるときにだけ、ダウンリンクでの送信のためのダウンリンクサブフレームを割り当てるように構成されており、
前記スケジューラは、割り当てたダウンリンクサブフレームのそれぞれに対して、４つの送信時間間隔の後に、アップリンクサブフレームを割り当てるように構成されている
ことを特徴とする無線アクセスノード。
【請求項９】
前記スケジューラは、４つの送信時間間隔の後に割り当てられた前記アップリンクサブフレームにおいて前記無線アクセスノードへ情報を送信するためのスケジューリング割り当てを前記ダウンリンクサブフレームにより示すように構成されていることを特徴とする請求項８に記載の無線アクセスノード。
【請求項１０】
ハイブリッド自動再送要求（ＨＡＲＱ）プロセスにおいて、前記受信したアップリンクサブフレームに含まれている前記情報が変化しているかどうかを判定するように構成されたＨＡＲＱ制御器をさらに備え、
前記ＨＡＲＱ制御器が前記アップリンクサブフレームについて変化を検出しなかった場合、当該ＨＡＲＱ制御器は、アクノリッジメントのフィードバックを前記中継ノードへと送信しないように構成されており、
前記ＨＡＲＱ制御器は、前記アップリンクサブフレームが変化していることを検出すると、前記ハイブリッド自動再送要求（ＨＡＲＱ）プロセスに関連した次に利用可能なダウンリンクサブフレームにおいて前記中継ノードへアップリンクグラントを送信するように構成されていることを特徴とする請求項８または９に記載の無線アクセスノード。
【請求項１１】
前記無線アクセスノードは、ｅＮｏｄｅＢであることを特徴とする請求項８ないし１０のいずれか１項に記載の無線アクセスノード。
【請求項１２】
無線アクセスノードとの間で、複数のサブフレームのシーケンスによって提供される情報の送受信を制御する、無線通信ネットワークの中継ノードであって、サブフレームは、送信時間間隔に対応しており、
前記中継ノードは、
前記無線アクセスノードからダウンリンクサブフレームにおいてスケジューリング割り当てを受信してから４つの送信時間間隔の後で、前記無線アクセスノードに対してアップリンクサブフレームにおいて情報を送信するように構成されている制御部
を有することを特徴とする中継ノード。
【請求項１３】
ＨＡＲＱ制御器をさらに有し、
前記ＨＡＲＱ制御器は、前記アップリンクサブフレームによる前記アップリンクでの送信をアクノリッジする明示的なフィードバックメッセージを受信しなかったときは、当該アップリンクサブフレームの受信が前記無線アクセスノードで成功したと判定するように構成されていることを特徴とする請求項１２に記載の中継ノード。
【請求項１４】
前記制御部は、前記ダウンリンクサブフレームを受信してから４つの送信時間間隔の後のアップリンクサブフレームにおいて、ダウンリンクサブフレームについてのアクノリッジメントフィードバックメッセージを送信するように構成されていることを特徴とする請求項１２または１３に記載の中継ノード。
【請求項１５】
ユーザ装置に対して情報をダウンリンクで送信するための複数のダウンリンクサブフレームを割り当てるように構成されたスケジューラをさらに備え、
サブフレームは、制御領域と、前記送信される情報を含む情報領域とを有し、
前記スケジューラは、前記制御領域を超えて受信されるデータが無いことを前記ユーザ装置に示すタイプのサブフレームを割り当てるように構成されている
ことを特徴とする請求項１２ないし１４のいずれか１項に記載の中継ノード。
【請求項１６】
前記ＨＡＲＱ制御器は、前記無線アクセスノードから受信したアップリンクグラントに、新しいデータを示すインジケータが含まれているかどうかをチェックするように構成さており、
当該ＨＡＲＱ制御器は、前記アップリンクグラントに前記インジケータが含まれている場合に、新しいデータを送信し、前記アップリンクグラントに前記インジケータが含まれていない場合に、既に送信済みのデータを再送信するように構成されている
ことを特徴とする請求項１３ないし１５のいずれか１項に記載の中継ノード。
【請求項１７】
無線通信ネットワークにおいて無線アクセスノードと中継ノードとの間での情報の送信を制御する方法であって、当該情報は複数のサブフレームのシーケンスによって送信され、サブフレームは、制御領域と、前記送信される情報を含む情報領域とを有し、サブフレームは、送信時間間隔に対応しており、前記無線アクセスノードからのダウンリンクサブフレームによりスケジューリング割り当てを受信してから４つの送信時間間隔の後に、前記中継ノードへアップリンクで送信するためのアップリンクサブフレームにより情報が送信されることを特徴とする方法。 
【請求項１８】
前記無線アクセスノードから前記中継ノードへダウンリンクで情報を送信するためのダウンリンクサブフレームのために、同一の送信時間間隔に含まれる前記ダウンリンクサブフレームが構成されている場合、ユーザ装置へのダウンリンクサブフレームは、前記制御領域を超えて受信されるデータが無いことを前記ユーザ装置に示すタイプのサブフレームとして構成され、
前記ユーザ装置から前記中継ノードへのアップリンク送信は、前記中継ノードから前記無線アクセスノードへのアップリンクでの送信のために構成されたサブフレームには、割り当てられない
ことを特徴とする請求項１７に記載の方法。
【請求項１９】
アップリンクサブフレームによるアップリンクでの送信をアクノリッジする明示的なアクノリッジメントフィードバックメッセージが受信されなかった場合に、前記無線アクセスノードにおいてアップリンクサブフレームの受信が成功したと判定されることを特徴とする請求項１７または１８に記載の方法。
【請求項２０】
アップリンクサブフレームにおけるダウンリンクサブフレームについてのアクノリッジメントフィードバックメッセージは、当該ダウンリンクサブフレームを受信してから４つの送信時間間隔の後に、送信されることを特徴とする請求項１７ないし１９のいずれか１項に記載の方法。
【発明の詳細な説明】
【技術分野】
【０００１】
本発明は、無線アクセスノードと中継ノードとの間の無線通信ネットワークにおいて、無線アクセスノードおよび中継ノードへの情報送信を制御する方法に関する。
【背景技術】
【０００２】
第３世代パートナーシップによるＬＴＥ（Ｌｏｎｇ  Ｔｅｒｍ  Ｅｖｏｌｕｔｉｏｎ）通信システムのリリース１０は、インバンド中継をサポートすることになっている。このリリース１０では、ドナーｅＮｏｄｅ  Ｂ（ｅＮＢ）が、リレーノード（中継ノード）と通信し、次にこの中継ノードが、ユーザ装置とデータを送受信するが、ｅＮｏｄｅＢ−中継リンクと中継−ユーザ装置リンクに関して同じスペクトルが使用される。少なくとも、中継−ユーザ装置リンクは、リリース８（リリース８）への後方互換性があることになっている。中継ノード（ＲＮ）は、自己干渉を避けなければならない。すなわち、中継ノードは、ユーザ装置（ＵＥ）に送信中に、自ノードのドナーｅＮＢから受信できなくなること、およびＵＥから受信中に、自ノードのドナーｅＮＢに送信できなくなること、を避けなければならない。干渉の理由は、中継ノードにおける受信および送信の両方に、同じ周波数帯を使用することによる。従って容易に取り除くことができない。この中継における自己干渉は、ｅＮＢ−ＲＮ（Ｕｎ）リンクにある種のサブフレームを特に割り当てることによって避けることができる。
【０００３】
中継のシナリオにおいて、例えばｅＮＢなどの無線アクセスノードのスケジューラは、すべてのデータ送信をスケジュールし、カバレッジエリア内のＲＮおよびＵＥに送信リソースを割り当てる。各中継ノードには、別のスケジューラがあり、その関連するＵＥに送信リソースを割り当てる。当然ながら、中継ノードのスケジューラは、Ｕｎ送信でスケジュールされないＵｕ送信に関してだけ、リソースを割り当ててもよい。
【０００４】
別のユーザ装置は、ｅＮＢに直接接続されていてもよく、Ｕｕインタフェースを通じた中継ノードの関与なしに、ｅＮＢと直接通信してもよい。
【０００５】
明らかに、中継動作は、自基地局のＵＥに任意のＤＬ（ダウンリンク）サブフレームで送信できるリリース８のＦＤＤ（周波数分割複信）ｅＮＢの動作とは異なる。リリース８では、ある種のサブフレームをＭＢＳＦＮ（Ｍｕｌｔｉ−ｍｅｄｉａ  Ｂｒｏａｄｃａｓｔ  Ｍｕｌｔｉｃａｓｔ  Ｓｅｒｖｉｃｅ  ｏｖｅｒ  Ｓｉｎｇｌｅ  Ｆｒｅｑｕｅｎｃｙ  Ｎｅｔｗｏｒｋ）サブフレームとして構成することができる。ＭＢＳＦＮサブフレームは、ＵＥがサブフレームの最初の１〜２個のシンボルの中の制御領域（ＰＣＦＩＣＨ（物理制御フォーマットインジケータチャネル）、ＰＤＣＣＨ（物理ダウンリンク制御チャネル）、およびＰＨＩＣＨ（物理ＨＡＲＱインジケータチャネル））を越えてデータを受信してはいけないことを、ＵＥに知らせる。ＭＢＳＦＮサブフレームは、通常のサブフレームよりＬ１／Ｌ２制御に使用可能なＯＦＤＭ（直交周波数分割多重）シンボル数が少ないことに留意されたい。しかし、ＭＢＳＦＮサブフレームは、サブフレーム１、２、３、６、７、８に関してだけ構成されうる。他のサブフレーム（０、４、５、９）では、少なくともリリース８のＵＥは、ブロードキャストチャネル、同期チャネル、およびページング情報を受信するつもりである。
【０００６】
Ｕｎサブフレームは、リリース８に関して規定された、ＨＡＲＱ（ハイブリッド自動再送要求）タイミングおよび関連制御シグナリングに影響を及ぼす。ＨＡＲＱフィードバックは、同期式である、すなわち、対応するデータがサブフレームｎで受信された場合、ＨＡＲＱフィードバックは、サブフレームｎ＋４で送信される。これは、アップリンク（ＵＬ、ｅＮＢ向けの送信）とダウンリンク（ＤＬ、ユーザ装置向けの送信）の両方に適用される。アップリンクでは、再送信もまた同期式である、すなわち、再送信は、サブフレームｎ＋８に現れなければならない。ダウンリンクの再送信については、サブフレームｎ＋８以降に、非同期でスケジュールすることができる。
【発明の概要】
【発明が解決しようとする課題】
【０００７】
ＭＢＳＦＮパターン（１０ｍｓまたは４０ｍｓ）とアップリンクＨＡＲＱ（８ｍｓ）の周期が異なるので、ＵｎおよびＵｕ上でのリリース８準拠のプロトコル動作は不可能である。
【０００８】
Ｕｎサブフレームのパターンは、リリース８のＨＡＲＱタイミングと一致しないので、ＵｎのＨＡＲＱ制御処理の修正およびＵｎサブフレーム割り当ての明確化が必要とされている。
【０００９】
従って、Ｕｎサブフレーム割り当てに関するルールを定める必要性、およびＵｎインタフェースにおいてＨＡＲＱプロセスを使用できるようにする必要性が存在する。
【課題を解決するための手段】
【００１０】
上記の必要性は、独立請求項の特徴が満たしている。従属請求項において、本発明の実施形態について述べている。
【００１１】
本発明の第１の態様によれば、無線アクセスノードと中継ノードとの間の無線通信ネットワークにおける情報送信を制御する方法が提供される。情報は、一連のサブフレームの中で送信される。サブフレームは、制御領域と、送信情報を収容する情報領域とを備える。サブフレームは、送信時間間隔（ＴＴＩ）に相当する。本発明の第１のステップによって、アクセスノードから中継ノードへの情報のダウンリンク送信用のダウンリンクサブフレームが割り当てられる。ここで、ダウンリンクサブフレームまたはダウンリンク送信が割り当てられるのは、同じ送信時間間隔の、中継ノードからユーザ装置への送信用の別のサブフレームが、制御領域を越えてデータを受信しないことをユーザ装置に知らせる種類のサブフレームのときだけである。割り当てられたダウンリンクサブフレームのそれぞれに対して、中継ノードからアクセスノードへの情報のアップリンク送信用のアップリンクサブフレームが、４つの送信時間間隔後に割り当てられる。各ダウンリンクサブフレームの４つの送信時間間隔後にアップリンクＵｎサブフレームを割り当てるこの新しい基本原則によって、各Ｕｎダウンリンク送信に対して、アクノリッジメント（肯定応答）または否定応答であるＡＣＫ／ＮＡＣＫフィードバックの送信機会が確実に利用可能になる。
【００１２】
この別のサブフレームの種類は、ＭＢＳＦＮ（Ｍｕｌｔｉ−ｍｅｄｉａ  Ｂｒｏａｄｃａｓｔ  Ｍｕｌｔｉｃａｓｔ  Ｓｅｒｖｉｃｅ  ｏｖｅｒ  ａ  Ｓｉｎｇｌｅ  Ｆｒｅｑｕｅｎｃｙ  Ｎｅｔｗｏｒｋ）サブフレームであってもよい。中継ノードからユーザ装置への送信用のサブフレームがＭＢＳＦＮサブフレームのとき、ユーザ装置は、このサブフレームで情報が送信されないことを通知される。制御領域を越えてデータが受信されないことは、このサブフレームでデータが受信されないこと、特にサブフレームはＵＥが受信の調節のために使用しうる規準シンボルを制御領域外に備えないことを意味する。ＭＢＳＦＮサブフレームがマルチキャストまたはブロードキャスト用に使用されるとき、情報／ペイロードは、受信されてもよいが、この個別のユーザ装置に対する情報ではなく、複数の受信機に対してブロードキャストフォーマットで送信される情報である。一方、ＭＢＳＦＮサブフレームがペイロードを有することなく指定されると、サブフレームの情報領域に関して、中継ノードにおける自己干渉を回避する。制御領域に関する自己干渉は、制御領域が中継ノードに対する制御情報を含まない場合、容認できる。
【００１３】
本発明の一実施形態によれば、ダウンリンクサブフレームは、４つの送信時間間隔後に割り当てられたアップリンクサブフレームにおける、無線アクセスノードへの情報送信に関するスケジューリング割り当てを知らせる。これは、各Ｕｎアップリンク送信に関して、アップリンクグラントの形態のスケジューリング割り当てを発行しうることを意味する。
【００１４】
無線アクセスノードから中継ノードへのダウンリンクサブフレームが送信情報を含むとき、４つの送信時間間隔後に割り当てられたアップリンクサブフレームは、アクノリッジメント（受信確認）フィードバックを有する。基本原則は、アップリンクのＵｎサブフレームとダウンリンクのＵｎサブフレームが、同数あることを暗示している。また一方、ＵｕサブフレームとＵｎサブフレームとの割合は、変わってもよい。
【００１５】
本発明の別の実施形態によれば、中継ノードからアップリンクサブフレームが受信されると、受信されたアップリンクサブフレームに含まれる情報の変化を、ＨＡＲＱプロセス中にチェックする。情報が変化しているとは検出されないサブフレームの場合、受信確認フィードバックは中継ノードに返送されない。それに対して、変化して受信されたアップリンクサブフレームに関しては、アップリンクグラントが、ＨＡＲＱプロセスに関係する次に利用可能なダウンリンクサブフレームで中継ノードに送信される。中継ノードは、無線アクセスノードからの受信確認を受信しないと、送信が成功だったと判定する。すなわち、中継ノードは、データが改変（変化）しているとの別の表示がない限り、再送信を行わない。変化している情報を受信した場合に送信されるアップリンクグラントは、同じＨＡＲＱプロセスに対応する次に利用可能なダウンリンクのバックホールＵｎサブフレームで送信される。
【００１６】
本発明の別の実施形態によれば、中継ノードへの情報のダウンリンク送信用のサブフレームは、中継ノードからユーザ装置への送信におけるサブフレームのタイプ（種類）を設定する設定周期を考慮して割り当てられる。上述のＵｎサブフレーム割り当てに関する基本原則、およびＵｎアップリンクＨＡＲＱプロセスと合わせて、Ｕｎサブフレームは、ＭＢＳＦＮサブフレームの周期に応じて、８ｍｓ、１０ｍｓ、または他の任意の周期で半静的に割り当てることができる。
【００１７】
さらに本発明は、無線通信ネットワークのアクセスノードに関する。このアクセスノードは、中継ノードから無線アクセスノードへの情報のアップリンク送信用のアップリンクサブフレーム、および無線アクセスノードから中継ノードへの情報のダウンリンク送信用のダウンリンクサブフレームを割り当てるスケジューラを備える。ここで、スケジューラは、上記で確認済みの基本原則に従って働き、同じ送信時間間隔の、中継ノードからユーザ装置への送信用の別のサブフレームが、制御領域を越えてデータが受信されないことをユーザ装置に知らせる種類のサブフレームのときだけ、スケジューラは、ダウンリンク送信用のダウンリンクサブフレームを割り当てる。本発明によるスケジューラは、割り当てたダウンリンクサブフレームのそれぞれに対して、４つの送信時間間隔後にアップリンクサブフレームを割り当てるように構成されている。
【００１８】
スケジューラは、ダウンリンクサブフレームの中で、４つの送信時間間隔後に割り当てたアップリンクサブフレームの中での、無線アクセスノードへの情報送信に対するスケジューリング割り当てを通知するように構成されてもよい。スケジューリング割り当ては、情報がアップリンクサブフレームで送信される４つの送信時間間隔前に、中継ノードに送信されるアップリンクグラントでもよい。
【００１９】
さらに、無線アクセスノードはまた、アップリンクサブフレームに収容されている情報が変化しているか否かをＨＡＲＱプロセス中に判定するように構成されているＨＡＲＱコントローラを有してもよい。ＨＡＲＱコントローラは、サブフレームが変化していないと検出した場合、中継ノードに受信確認フィードバックを返送しない。ＨＡＲＱコントローラは、サブフレームが変化していると検出した場合、そのＨＡＲＱプロセスに関係する次に利用可能なダウンリンクサブフレームで、中継ノードにアップリンクグラントを送信してもよい。ＨＡＲＱコントローラが、情報は変化していないと検出した場合、アップリンクグラントは、新しいデータが送信されてもよいことを中継ノードに知らせるインジケータを有してもよい。
【００２０】
別の態様によれば、中継ノードが提供される。中継ノードは、制御部（コントローラ）を備え、このコントローラは、無線アクセスノードからダウンリンクサブフレームでスケジューリング割り当てを受信した４つの送信時間間隔後のアップリンクサブフレームで、無線アクセスノードに情報を送信するように構成されている。中継ノードのコントローラは、無線アクセスノードから割り当てられたように、基本原則を中継ノードで正しく順守するように制御する。
【００２１】
本発明の一実施形態によれば、中継ノードは、ＨＡＲＱ制御器（コントローラ）を備え、このＨＡＲＱコントローラは、アップリンクサブフレームのアップリンク送信に対してアクノリッジ（受信確認）する明示的フィードバックメッセージを受信しない場合、無線アクセスノードがアップリンクサブフレームを首尾よく受信したと判定する。ｅＮＢがフィードバックを送信しないので、中継ノードのＨＡＲＱコントローラは、アップリンクサブフレームが首尾よく受信されたと見なし、肯定フィードバックを待たない。
【００２２】
中継ノードのコントローラは、ダウンリンクサブフレームを受信した４つの送信時間間隔後のアップリンクサブフレームで、ダウンリンクサブフレームに対する受信確認フィードバックメッセージを送信するように構成されてもよい。この実施形態では、中継ノードのコントローラは、情報のダウンリンク送信に対するフィードバックメッセージを、新しく設定された基本原則に従って確実に送信する。
【００２３】
中継ノードは、スケジューラをさらに備えてもよく、このスケジューラは、ユーザ装置への情報のダウンリンク送信用のダウンリンクサブフレームと、ユーザ装置から中継ノードへのアップリンク送信用のアップリンクサブフレームとを割り当てる。スケジューラは、データが制御領域を越えて受信されないことをユーザ装置に知らせる種類のサブフレームを割り当てるように構成されるべきである。これにより、中継ノードがｅＮＢからデータを受信するとき、ユーザ装置は、中継ノードから送信されるデータを確実に待たなくなる。
【００２４】
本発明は、無線アクセスノードと中継ノードとの間の無線通信ネットワークにおける、情報送信を制御する方法にさらに関する。ここで、中継ノードへのアップリンク送信用のアップリンクサブフレームの情報は、無線アクセスノードからダウンリンクサブフレームでスケジューリング割り当てを受信した４つの送信時間間隔後に送信される。アップリンクサブフレームの中のアップリンク送信を受信確認する明示的フィードバックメッセージが受信されない場合、中継ノードは、無線アクセスノードがアップリンクサブフレームの受信に成功したと見なしてもよい。さらに、ダウンリンクサブフレームに対する受信確認フィードバックメッセージは、ダウンリンクサブフレームを受信した４つの送信時間間隔後のアップリンクサブフレームで送信される。
【００２５】
一実施形態では、ユーザ装置へのダウンリンクサブフレームは、同じ送信時間間隔に、無線アクセスノードから中継ノードへの情報のダウンリンク送信用のダウンリンクサブフレームが構成される場合、制御領域を越えてデータが受信されないことをユーザ装置に知らせる種類のサブフレームとして構成される。さらに、ユーザ装置から中継ノードへのアップリンク送信は、中継ノードから無線アクセスノードへのアップリンク送信用に構成されるサブフレームに、割り当てられてはならない。これは、上述の中継ノードのコントローラによって確実にされてもよい。
【００２６】
別の実施形態によれば、中継ノードのＨＡＲＱコントローラは、新しいデータに関するインジケータが、無線アクセスノードから受信したアップリンクグラントに含まれているかどうかをチェックするように構成される。アップリンクグラントにインジケータが含まれている場合、ＨＡＲＱコントローラは、新しいデータを無線アクセスノードに送信する。アップリンクグラントにインジケータが含まれていない場合、既に送信したデータ、すなわち他のサブフレームで既に送信した情報を再送信する。中継ノードは、受信確認フィードバックを受信しないので、情報の送信が成功だったか否だったかを、無線アクセスノードから受信したアップリンクグラントに含まれる新しいデータに関するインジケータによって知る。
【００２７】
上述の様々な実施形態は、どのように組み合わされてもよい。
【００２８】
以下、本発明について、添付の図面を参照してさらに詳細に説明する。
【図面の簡単な説明】
【００２９】
【図１】ユーザ装置が中継ノード経由でｅＮＢに接続されている概略図である。
【図２】図１に示されるｅＮＢのより詳細な概略図である。
【図３】図１に示される中継ノードのより詳細な概略図である。
【図４】８ｍｓ周期のＵｎサブフレーム割り当てのＨＡＲＱタイミングを有する表の図である。
【図５】１０ｍｓ周期のＵｎサブフレーム割り当てのＨＡＲＱタイミングを有する表の図である。
【図６】Ｕｎサブフレーム割り当ての基本原則およびＵｎアップリンクＨＡＲＱプロセスによる、中継ノードとｅＮＢとの間のサブフレームの送受信の図である。
【発明を実施するための形態】
【００３０】
図１は、中継ノード２０が、ここでは進化型ノードＢ（ｅＮＢ）３０である上流ノードから送信されたデータおよび／または情報を受信する中継シナリオを示す。この進化型ノードＢ（ｅＮＢ）３０は、受信した情報をユーザ装置１０に送信する。ユーザ装置１０と中継ノードとの間のインタフェースは、Ｕｕインタフェースと呼ばれ、中継ノードとｅＮＢとの間のインタフェースは、Ｕｎインタフェースと呼ばれる。また図１に示されているように、ユーザ装置１０はまた、ｅＮＢと直接通信してもよい。
【００３１】
無線アクセスノード３０のスケジューラＳＣｅＮＢは、すべてのデータ送信をスケジュールして、送信リソースをＲＮおよびＵＥに割り当てる。別のスケジューラＳＣＲＮは、中継ノードにあり、送信リソースをその関連するＵＥに割り当てる。
【００３２】
ユーザ装置は、セルラ電話機、携帯情報端末、無線モデム、ハンドヘルドデバイス、ラップトップコンピュータ等であってもよい。Ｕｎインタフェースは、アップリンクＵｎサブフレーム（例えば１ｍｓなどの期間を有する）が各ダウンリンクＵｎサブフレームの４つの送信時間間隔後に割り当てられるという新しい基本原則を使用して構成される。さらに、ＵｎインタフェースのＨＡＲＱ制御処理は、Ｕｎアップリンクに関して、ＵｎインタフェースがＰＨＩＣＨなしに動作し、適応ＨＡＲＱだけを使用するように構成される。これは、無線アクセスノード３０から中継ノードに明示的受信確認（肯定または否定）が送信されないことを意味する。
【００３３】
図２は、ｅＮＢ３０のより詳細な図を示す。ｅＮＢは、中継ノードおよびＵＥへの情報をダウンリンクで送信する送信部３１と、中継ノードおよびＵＥからのアップリンクサブフレームにより情報を受信する受信部３２とを備える。情報送信のタイムライン（送信時系列）は、無線フレームに分割されており、各フレームは１０個のサブフレームを有する。ｅＮＢは、ｅＮＢをコアネットワークに接続するトランシーバ３３をさらに備える。ｅＮＢは、上述の基本原則に従って、中継ノードからアクセスノードへのアップリン送信用のアップリンクサブフレームを割り当て、かつ無線アクセスノードから中継ノード２０への情報のダウンリンク送信用のダウンリンクサブフレームを割り当てるスケジューラ３４をさらに備える。このスケジューラはまた、ＲＮが関与しない、ＵＥとのアップリンク送信およびダウンリンク送信もスケジュールする。無線アクセスノードは、ＨＡＲＱプロセス中にアップリンクサブフレームで受信した情報をチェックするＨＡＲＱコントローラ３５をさらに備える。ＨＡＲＱコントローラは、例えば受信したサブフレームに対して周期的冗長検査（ＣＲＣ）などを行って、サブフレームで受信した情報が変化しているか否かを検出する。さらに、中継ノードに送信する情報をバッファしうるバッファ３６が設けられている。
【００３４】
無線アクセスノードはコントローラ３６をさらに備え、このコントローラ３６は、中継ノードから無線アクセスノードへの情報のアップリンク送信用のアップリンクサブフレーム候補の周期パターンの構成、および無線アクセスノードから中継ノードへの情報のダウンリンク送信用のダウンリンクサブフレーム候補の周期パターンの構成をする。コントローラは、ダウンリンクサブフレームの４つの送信時間間隔後にアップリンクサブフレームを構成する。コントローラは、中継ノードおよびユーザ装置に送信する様々なサブフレームをどのように使用しうるかを制御し、スケジューラは、送信する情報を様々なサブフレームに実際に割り当てる。
【００３５】
図３に、中継ノード２０のより詳細な図を示す。この中継ノード２０は、ユーザ装置１０に情報をダウンリンクで送信する送信部２１と、ユーザ装置１０からアップリンクデータを受信する受信部２２とを備える。さらに、ｅＮＢからダウンリンク情報を受信する受信部２３と、ｅＮＢにアップリンク情報を送信する送信部２４が設けられている。中継ノードは、ｅＮＢから受信した情報のＨＡＲＱ制御処理を制御するＨＡＲＱコントローラ２５を備える。ＨＡＲＱ制御処理は、異なるサブフレームに関連する例えば８個などの複数の異なるＨＡＲＱプロセスを含んでもよい。制御処理を連続的な個々のプロセスに再分割することによって、受信部からのフィードバックが送信のラウンドトリップ時間が原因でどうにか利用可能になるまで、１つのプロセスが待つことを可能にする。それ故、好ましいのは、プロセスの数が、１ラウンドトリップ時間の中のサブフレーム数に一致することである。
【００３６】
図２に関連して上述のように、Ｕｎアップリンクでは、適応ＨＡＲＱプロセスが使用される。この意味することは、ｅＮＢが、中継ノード２０からのアップリンク送信に対して、アクノリッジメント（受信確認）フィードバックを送信しないということである。ここで、ＨＡＲＱコントローラ２５は、フィードバックを受信しない場合、送信に成功したと判定する。しかし、ｅＮＢ３０が、このＨＡＲＱプロセスに対して次に利用可能な送信機会に同じ非トグル新データビットインジケータ(non-toggled new data bit indicator)を有するアップリンクグラントを発行した場合、このＨＡＲＱプロセスに関してアップリンクグラントをｅＮＢから受信したことを根拠として、ＨＡＲＱコントローラ２５は、ｅＮＢが改変されている（変化している）と判定した情報と同じ情報を再送信すべきであると認識する。
【００３７】
中継ノード２０は、コントローラ２６をさらに備え、このコントローラ２６は、Ｕｕインタフェース上にＭＢＳＦＮフレームを構成し、ひいてはスケジューラ２８を構成する。スケジューラ２８は、送信リソースを中継ノードに関連するユーザ装置に、すなわち、Ｕｕインタフェースのアップリンクおよびダウンリンクに割り当てる。コントローラは、新しい基本原則およびｅＮＢ３０のスケジューラ３４による対応する割り当てに従って、無線アクセスノード３０からのダウンリンクサブフレームの中でアップリンクグラントを受信した４つの送信時間間隔後に、無線アクセスノードへのアップリンクサブフレームを、無線アクセスノードに確実に送信するようにもする。さらに、サブフレームを一時的にバッファするバッファ２７が設けられている。バッファに格納されたサブフレームは、ｅＮＢのＨＡＲＱコントローラ３５が、受信情報が変化していて、サブフレームに収容されている情報が再送信されなければならないと判定した場合に、再送信のために必要とされてもよい。
【００３８】
図４は、一例の８ｍｓ周期のＵｎサブフレーム割り当てのＨＡＲＱタイミングを示す。この例では、サブフレームはそれぞれ１ｍｓの長さを有する。図の上半分は、バックホール、ここでは中継ノードとｅＮＢとの間のリンク、すなわちＵｎインタフェースの、ＨＡＲＱプロセスを示す。下半分は、アクセスリンク（Ｕｕ）のＨＡＲＱプロセスを示す。ダウンリンク送信（Ｄ）、アップリンク送信（Ｕ）、アップリンクＡＣＫ／ＮＡＣＫフィードバック（ＵＡＮ）、ダウンリンクＡＣＫ／ＮＡＣＫフィードバック（ＤＡＮ）およびアップリンクグラント（Ｇ）が示されている。ＦＢは、フィードバックを意味する。各フレームは、０番から９番までの１０個のサブフレームを備えている。３行目のアップリンクＨＡＲＱプロセスＩＤは、ＵＬのＨＡＲＱプロセスが８つ使用されていると想定して示されている。
【００３９】
ｅＮＢ−Ｒ（中継）のＤＬデータの上の行のＤは、例えば事前設定などによる、ダウンリンク送信用のサブフレームパターンを指定している。この場合、Ｄを有する４個のサブフレーム、それに続くＤのない４個のサブフレーム、それに続くＤのある４個のサブフレームなどから推定しうるように、事前設定の周期は８ｍｓである。しかし、このパターンにおいては、ＭＢＳＦＮ行の中にＳで指定されている潜在的なＭＢＳＦＮサブフレームであるサブフレームだけを、ｅＮＢが送信を中継するために実際に使用しうる。すなわち、情報を有する送信であるバックホールのダウンリンク送信は、サブフレームが、ＭＢＳＦＮ行にＳかつｅＮＢ−ＲのＤＬデータの上の行にＤと指定されている場合だけ行いうる。これは、中継ノードが同時にユーザ装置に情報を送信しないときだけ、中継ノードへのダウンリンク送信を行えることを意味する。図４に示すＭＢＳＦＮフレーム構造は、Ｓを有するフレームでは制御領域を越えてデータが受信されないことをユーザ装置に知らせる。サブフレーム０、４、５、９は、上述のように、ＭＢＳＦＮサブフレームでなくてもよいことに留意されたい。ＭＢＳＦＮサブフレームは、１０ｍｓまたは４０ｍｓの周期のパターン属性を有する。図４は、一例の４０ｍｓのパターンを示すが、パターンの一部だけが示されている。ダウンリンク送信Ｄと一緒に、アップリンクグラントも送信される。上記で導入した基本原則によれば、アップリンクＵｎサブフレームは、ダウンリンクＵｎサブフレームの４つの送信時間間隔後に発生する。これは、フレーム１のダウンリンクサブフレーム６に関して、アップリンクサブフレームは４ＴＴＩ後に発生することを意味する。すなわち、フレーム１のダウンリンクサブフレーム６に関して、対応するアップリンクは、フレーム２のサブフレーム０で発生する。修正ＵｎアップリンクＨＡＲＱによれば、明示的Ｕｎダウンリンクフィードバックは存在しない。エラーの場合、次に利用可能な送信機会にアップリンクグラントが代わりに発行される。図４に示される例では、次の機会は、１または２ラウンドトリップ時間（ＲＴＴ）後に発生する。これについては、次の例で示す。例として、フレーム１のサブフレーム２の送信が変化していると想定する。このサブフレームに対応するＨＡＲＱプロセスＩＤは、図４の３行目から分かるように、４である。次いで、ｅＮＢは、同じＨＡＲＱプロセス４の次に利用可能な送信機会に、同じ非トグルデータビットインジケータを有するアップリンクグラントを発行する。これは、フレーム２のサブフレーム０に見つけることができる。従って、ＵＬ再送信は、８サブフレーム後または１ラウンドトリップ時間後の、フレーム２のサブフレーム０で送信される。
【００４０】
ダウンリンク送信および対応するＨＡＲＱフィードバック、ならびにアップリンクグラントおよび次のアップリンク送信のタイミングは、リリース８に準拠している。リリース８では、サブフレームＮにおける各アップリンクデータ送信の後に、サブフレームＮ＋４におけるＰＨＩＣＨ上のＨＡＲＱフィードバックが続く。リリース８のＨＡＲＱタイミングをＵｎに直接適用するためには、（上述の基本原則に加えて）位置Ｎの各Ｕｎアップリンクサブフレームの後に、Ｎ＋４のＵｎダウンリンクサブフレームが続く必要があるだろう。明らかに、２つの要件は、ＨＡＲＱのＲＴＴ（ラウンドトリップ時間の８ｍｓ）とＭＢＳＦＮ割り当て周期（１０ｍｓ）の不整合のせいで、とても満足することができない。それ故、ＰＨＩＣＨを、Ｕｎインタフェースで動作させることはできない。従って、Ｕｎインタフェースは、ＰＨＩＣＨなしに動作され、適応ＨＡＲＱだけがＵｎアップリンクで使用される。その結果、ドナーｅＮＢは、中継器からのアップリンク送信に対して、ＡＣＫ／ＮＡＣＫフィードバックを送信しない。中継器は、送信が成功だった（ＡＣＫ）と判定する。エラー（ＮＡＣＫ）の場合、ドナーｅＮＢは、このＨＡＲＱプロセス（同期ＨＡＲＱ）に対する次に利用可能な送信機会に、同じ非トグル新データインジケータビット（ＮＤＩ）を有するアップリンクグラントを発行する。すなわち、次に利用可能なＵｎダウンリンクは、Ｕｎアップリンクサブフレームが続くフレームである。アップリンクグラントは、新しいデータを要求する場合に、インジケータと一緒に送信される。このインジケータは、２つの値を有してもよく、変化しているサブフレームが再び送信されるとき、非トグル値が送信され、トグルインジケータの場合、新しいデータが送信されてもよい。この修正によって、適応させることになるが、アップリンクＨＡＲＱプロセスに関しては、やはり同期再送信である。ドナーｅＮＢが明示的ＡＣＫ／ＮＡＣＫフィードバックを送信しないので、（Ｒ−）ＰＨＩＣＨは必要ない。Ｕｎ上での適応再送信によって、ブロック誤り率目標が高い場合に（Ｒ−）ＰＤＩＣＨ負荷をわずかに増やすが、（Ｒ−）ＰＨＩＣＨを削除できることに留意されたい。
【００４１】
アップリンク方向については、単にどのＵＥもスケジュールしないことで、Ｕｕトラフィックに対するＵｎサブフレームは少なくなる。
【００４２】
ＭＢＳＦＮサブフレームを８ｍｓ周期で割り当てることができないので、いくつかのＵｎダウンリンクサブフレーム、例えば第１の無線フレームのＤＬサブフレーム０および９と、第２の無線フレームのＤＬサブフレーム４および５などは、Ｕｎダウンリンクに使用できない。それに応じて、対応するＵｎアップリンクサブフレーム、例えばフレーム１のＵＬサブフレーム４とフレーム２のＵＬサブフレーム３、８、９などは、Ｕｎアップリンクに利用できない。しかし、それらのダウンリンクサブフレームは、代わりにＵｕダウンリンクで使用されてもよい。アップリンクサブフレームも、Ｕｕアップリンクで使用されてもよいが、再送機会が得られるとは保証されない。従って、エラーの場合、それらのサブフレームのＵＬのＨＡＲＱプロセスは中止されてもよい。ＵＬサブフレームの４ＴＴＩ後の対応するＡＣＫフィードバック、例えばフレーム１のＵＬサブフレーム８およびフレーム２のＵＬサブフレーム７などは、図４で「ＤＡＮ」の代わりに「Ａ」で示されている。再送信の次の機会は、「次の機会」の行に示されるように、２または３ＲＴＴ後に発生する。ＵｕアップリンクでＨＡＲＱプロセスを中止するときの再送機会の遅延は、より長い遅延のスパイク波形をもたらす。他のアップリンクのＵｕのＨＡＲＱプロセスおよびダウンリンクのＵｕのＨＡＲＱプロセスは、影響を受けない。
【００４３】
中継ノードにおける自己干渉は、ある種のサブフレームをｅＮＢ−ＲＮ（Ｕｎ）リンクに特に使用することによって避けることができる。それらのＵｎサブフレームは、ＤＬのＵｎサブフレームをＭＢＳＦＮサブフレームと宣言することによって、かつどのＵＥもＵＬ（アップリンク）のＵｎサブフレームにスケジュールしないことによって、ＲＮ−ＵＥ送信（Ｕｕリンク）に利用できない。ＵｎのＨＡＲＱプロセスは、Ｕｎサブフレームで動作する必要があるのに対して、ＵｕのＨＡＲＱは、Ｕｕサブフレームで動作する。
【００４４】
図５は、一例の１０ｍｓ周期を有するＵｎサブフレーム割り当てのＨＡＲＱタイミングを示す。命名法は、図４と同じである。この場合もやはり、アップリンクＵｎサブフレームは、ダウンリンクＵｎサブフレームの４ＴＴＩ後に発生し（基本原則）、明示的なＵｎダウンリンクフィードバックはない（修正ＵｎのＵＬ  ＨＡＲＱ）。図５のＵｎ割り当ては、図４の場合と同様に、Ｕｎリソースの約３０％の使用率という結果になる。
【００４５】
１０ｍｓのＵｎサブフレームの割り当ては、Ｕｕに関して１０ｍｓ周期の使用不可能なサブフレームという結果になる。使用不可能なサブフレームにもかかわらず、Ｕｕアップリンクは、Ｕｕダウンリンクの４ＴＴI後に発生して、アップリンクＡＣＫ／ＮＡＣＫフィードバックを常に利用可能にする。ＭＢＳＦＮサブフレームでＰＨＩＣＨを送信できるおかげで、ダウンリンクＡＣＫ／ＮＡＣＫも常に利用可能である。しかし、同期再送機会は、保証され得ない。従って、エラーの場合、それらのサブフレームのアップリンクＨＡＲＱプロセスは中止されてもよい。この場合もやはり、対応するフィードバックは、「ＤＡＮ」の代わりに「Ａ」で示されている。再送信の次の機会は、２または３ＲＴＴ後に発生する。他のアップリンクのＵｕのＨＡＲＱプロセスおよびダウンリンクのＵｕのＨＡＲＱプロセスは、影響を受けない。
【００４６】
図６に関連して、新しい基本原則および適応ＨＡＲＱプロセスについて要約する。
【００４７】
ｅＮＢからＲＮに情報を送信する前に、サブフレームの割り当てが実行される。図６は、時間ｔ０におけるダウンリンクサブフレームの割り当てを表す第１の割り当てステップ６１と、アップリンクサブフレームを４つの送信時間間隔後に割り当てる第２の割り当てステップ６２とを示す。
【００４８】
ｅＮＢのスケジューラは、時間ｔ０におけるＵｎダウンリンク送信に関して、受信確認フィードバックがダウンリンクサブフレームの４つの送信時間間隔後に利用できるように、中継ノードにサブフレームを割り当てる。サブフレームのこの割り当ては、アップリンク送信用のアップリンクグラントがｔ０におけるダウンリンクサブフレームで送信されるので、ｔ０＋４ＴＴIにおけるアップリンク送信にも使用されてもよい。このようにして、ｔ０におけるサブフレームがアップリンクグラントに使用されると、データ情報は、ｔ０＋４ＴＴＩで送信される。情報がｔ０で送信される場合、フィードバックは、ｔ０＋４ＴＴIで送信される。割り当ては、サブフレーム６３で伝達される。ダウンリンク割り当ては、ｔ０における同じサブフレーム６３でデータを伝達し、次いでそのデータをＲＮが復号してもよいのに対して、ＵＬグラントは、ｔ０＋４ＴＴIにおける次のサブフレーム６４に関連する。
【００４９】
図６は、本発明のＨＡＲＱ制御処理をさらに示す。ＵＥに対するＨＡＲＱプロセスにおいて、ｔ０における各アップリンクデータ送信の後に、ｔ０＋４ＴＴIにおけるサブフレームのＰＨＩＣＨでのＨＡＲＱフィードバックが続く。本発明によれば、アップリンクサブフレームに収容された情報が変化していなかった場合、ＰＨＩＣＨでのフィードバックは、省略される。図２に示すＨＡＲＱコントローラ３５によって実行されるＨＡＲＱプロセスは、受信情報の品質が十分か否かを判定する。受信情報の品質が十分の場合、ｅＮＢのＨＡＲＱコントローラは、受信確認フィードバックを送信しない。しかし、ｅＮＢのＨＡＲＱコントローラが受信情報の品質が十分でないと判定する場合、このＨＡＲＱプロセスに対して、アップリンクグラントが次に利用可能な送信機会に送信される６５。図４および５に関連して述べたように、次に利用可能な送信機会は、例えば１、２または３ラウンドトリップ時間後などである。中継ノードのＨＡＲＱコントローラ２５はここでは、ｅＮＢからのフィードバックが受信されない場合、送信に成功したと判定するように構成されている。しかし、同じ非トグル新データインジケータビットを有するアップリンクグラントを受信した場合、中継ノードのＨＡＲＱコントローラは、ｅＮＢに送信した情報が変わっていたことを知り、非トグルデータビットインジケータを受信したＨＡＲＱプロセスに対する情報の再送信を開始する。
【００５０】
再送データは、中継ノードにあるバッファから読み出される。アップリンクグラントの新データインジケータが、新しいデータを送信すべきことを示す場合、ＨＡＲＱコントローラは、データの再送信が必要ないことを知り、ｅＮＢに送信すべきキューから新しい情報データを取り出す。
【００５１】
これまで説明した本発明は、幾つかの利点を有する。
【００５２】
まず初めに、本発明は、柔軟な割り当てを可能にする。その意味は、Ｕｎサブフレームを柔軟に割り当てることができ、ＵｕサブフレームとＵｎサブフレームのさまざまな割合が可能である。さらに、最高のリソース効率が得られる。その意味は、図４および５に示すように８ｍｓと１０ｍｓ周期の両方の割り当てとも、同じく最高のリソース効率になる。すなわち、すべてのサブフレームを使用することができる。これは図４および５に与えられている、合計すると１００％になる百分率から理解することができる。さらに、ＨＡＲＱフィードバックおよび再送信は、幾つかの再送信が１または２ラウンドトリップ時間だけ延期されなければならないときでさえ、すべてのＨＡＲＱプロセスで利用可能である。Ｕｎアップリンクに関するＨＡＲＱプロトコルは、修正されており、物理層は、ＰＨＩＣＨフィードバックをＭＡＣ（媒体アクセス制御）に提供せず、アップリンクＨＡＲＱプロセスは、肯定的に受信確認されたと判定してもよい（適応再送信に関する中継ＵＬグラント）。さらに、一部のＵｕアップリンクＨＡＲＱプロセスには、同期再送機会がない。そのプロセスを中止するか、それともとにかく送信させるかは中継ノードの実装しだいである。ダウンリンクＵｎのＨＡＲＱおよびダウンリンクＵｕのＨＡＲＱは、影響を受けない。８ｍｓ周期と１０ｍｓ周期の両方の割り当てとも、場合によっては中止されかねないＵｕのアップリンクＨＡＲＱプロセス数は同じである。さらに、本発明は、リリース８のフォーマットおよびタイミングを再使用できる。これは、リリース８のＰＤＣＣＨおよびＰＵＣＣＨのメッセージフォーマットおよびタイミングを再使用できることを意味する。特に、リリース８のタイミングの再使用によって、同じ時系列でユーザ装置および中継ノードをスケジュールできる効率的なｅＮＢスケジューラがもたらされる。最後だからと言って重要でないということではなく、アップリンク送信に対して明示的なＡＣＫ／ＮＡＣＫフィードバックがないので、（Ｒ−）ＰＨＩＣＨを、標準化する必要がない。
【００５３】
上記の実施形態は、ＬＴＥシステムに関して述べているが、同じ原理を、アクセスノードと例えばＵＥなどの宛先ノードとの間で中継ノードを介して中継を行うシステムに一般的に適用しうることは明らかである。ここで、中継ノードが有する送信用の無線リソースは、アクセスノードと宛先ノードの両方への送信に使用することができ、中継ノードとアクセスノードとの間のリンクの送信周期、および中継ノードと宛先ノードとの間のリンクの送信周期は、リソースの衝突をもたらすことがある。
【００５４】
さらに、図２および３に示される中継ノードおよび無線アクセスノードは、本発明の理解のために重要な機能エンティティだけを示している。当業者には分かっているように、中継ノードおよびｅＮＢは、本発明で詳細に説明していない多くの機能を提供する。さらに、本発明を理解し易くするために、異なるユニットは、個別のユニットとして示されている。しかし、異なる数のユニットが使用されてもよく、異なるユニットの機能が１つのユニットに統合されてもよいことは理解されるはずである。さらに、示しているユニットは、ハードウェアもしくはソフトウェアによって、またはハードウェアとソフトウェアの組み合わせによって、具体化されてもよい。
【図１】
2013502793.tif 000003
【図２】
2013502793.tif 000004
【図３】
2013502793.tif 000005
【図４】
2013502793.tif 000006
【図５】
2013502793.tif 000007
【図６】
2013502793.tif 000008
【手続補正書】
【提出日】平成23年6月21日(2011.6.21)
【手続補正１】
【補正対象書類名】特許請求の範囲
【補正対象項目名】全文
【補正方法】変更
【補正の内容】
【特許請求の範囲】
【請求項１】
無線通信ネットワークにおいて無線アクセスノードと中継ノードとの間での情報の送信を制御する方法であって、当該情報は複数のサブフレームのシーケンスによって送信され、サブフレームは、制御領域と、前記送信される情報を含む情報領域とを有し、サブフレームは、送信時間間隔に対応しており、
前記方法は、
前記無線アクセスノードから前記中継ノードへ、ダウンリンクで情報を送信するために複数のダウンリンクサブフレームを割り当てるステップであって、前記中継ノードからユーザ装置へ送信するための同一の送信時間間隔に含まれる他のサブフレームが、前記制御領域を超えて受信されるデータが無いことを前記ユーザ装置に示すタイプのサブフレームであるときにだけ、ダウンリンクでの送信のためのダウンリンクサブフレームが割り当てられる、ステップと、
割り当てられたダウンリンクサブフレームのそれぞれに対して、前記中継ノードから前記無線アクセスノードへ情報をアップリンクで送信するためのアップリンクサブフレームを、４つの送信時間間隔の後に、割り当てるステップと
を有し、
前記中継ノードからアップリンクサブフレームを受信するときに、前記受信したアップリンクサブフレームに含まれている前記情報の変化がハイブリッド自動再送要求（ＨＡＲＱ）プロセスにおいて検査され、当該アップリンクサブフレームについて変化が検出されない場合、アクノリッジメントのフィードバックは前記中継ノードへと送信されず、変化して受信されたアップリンクサブフレームについて、前記ハイブリッド自動再送要求（ＨＡＲＱ）プロセスに関連した次に利用可能なダウンリンクサブフレームにおいてアップリンクグラントが前記中継ノードへ送信される
ことを特徴とする方法。
【請求項２】
前記他のサブフレームのタイプは、マルチメディア・ブロードキャスト・マルチキャスト・サービス・オーバー・シングル・フリークウェンシー・ネットワーク（ＭＢＳＦＮ）のサブフレームであることを特徴とする請求項１に記載の方法。
【請求項３】
前記ダウンリンクサブフレームは、４つの送信時間間隔の後に割り当てられた前記アップリンクサブフレームにおいて前記無線アクセスノードへ情報を送信するためのスケジューリング割り当てを示していることを特徴とする請求項１または２に記載の方法。
【請求項４】
前記無線アクセスノードから前記中継ノードへの前記ダウンリンクサブフレームは、前記送信される情報を含み、前記４つの送信時間間隔の後に割り当てられた前記アップリンクサブフレームは、アクノリッジメントのフィードバックを含んでいることを特徴とする請求項１ないし３のいずれか１項に記載の方法。
【請求項５】
前記アップリンクグラントは、新しいデータが要求されているかどうかを示すインジケータとともに送信されることを特徴とする請求項１に記載の方法。
【請求項６】
前記中継ノードへ情報をダウンリンクで送信するための複数のサブフレームは、前記中継ノードから前記ユーザ装置へ送信されるサブフレームのタイプの所定の周期性が考慮されて、割り当てられることを特徴とする請求項１ないし５のいずれか１項に記載の方法。
【請求項７】
中継ノードとの間で、複数のサブフレームのシーケンスによって提供される情報の送受信を制御する、無線通信ネットワークの無線アクセスノードであって、当該サブフレームは、制御領域と、送信される情報を含む情報領域とを有し、サブフレームは、送信時間間隔に対応しており、
前記無線アクセスノードは、
前記中継ノードから前記無線アクセスノードへ情報をアップリンクで送信するための複数のアップリンクサブフレームと、前記無線アクセスノードから前記中継ノードへ、ダウンリンクで情報を送信するための複数のダウンリンクサブフレームを割り当てるスケジューラを有し、
前記スケジューラは、前記中継ノードからユーザ装置へ送信するための同一の送信時間間隔に含まれる他のサブフレームが、前記制御領域を超えて受信されるデータが無いことを前記ユーザ装置に示すタイプのサブフレームであるときにだけ、ダウンリンクでの送信のためのダウンリンクサブフレームを割り当てるように構成されており、
前記スケジューラは、割り当てたダウンリンクサブフレームのそれぞれに対して、４つの送信時間間隔の後に、アップリンクサブフレームを割り当てるように構成されており、
前記無線アクセスノードは、
ハイブリッド自動再送要求（ＨＡＲＱ）プロセスにおいて、前記受信したアップリンクサブフレームに含まれている前記情報が変化しているかどうかを判定するように構成されたＨＡＲＱ制御器をさらに備え、
前記ＨＡＲＱ制御器が前記アップリンクサブフレームについて変化を検出しなかった場合、当該ＨＡＲＱ制御器は、アクノリッジメントのフィードバックを前記中継ノードへと送信しないように構成されており、
前記ＨＡＲＱ制御器は、前記アップリンクサブフレームが変化していることを検出すると、前記ハイブリッド自動再送要求（ＨＡＲＱ）プロセスに関連した次に利用可能なダウンリンクサブフレームにおいて前記中継ノードへアップリンクグラントを送信するように構成されている
ことを特徴とする無線アクセスノード。
【請求項８】
前記スケジューラは、４つの送信時間間隔の後に割り当てられた前記アップリンクサブフレームにおいて前記無線アクセスノードへ情報を送信するためのスケジューリング割り当てを前記ダウンリンクサブフレームにより示すように構成されていることを特徴とする請求項７に記載の無線アクセスノード。
【請求項９】
前記無線アクセスノードは、ｅＮｏｄｅＢであることを特徴とする請求項７または８に記載の無線アクセスノード。
【請求項１０】
無線アクセスノードとの間で、複数のサブフレームのシーケンスによって提供される情報の送受信を制御する、無線通信ネットワークの中継ノードであって、サブフレームは、送信時間間隔に対応しており、
前記中継ノードは、
前記無線アクセスノードからダウンリンクサブフレームにおいてスケジューリング割り当てを受信してから４つの送信時間間隔の後で、前記無線アクセスノードに対してアップリンクサブフレームにおいて情報を送信するように構成されている制御部
を有し、
前記中継ノードは、
ＨＡＲＱ制御器をさらに有し、
前記ＨＡＲＱ制御器は、前記アップリンクサブフレームによる前記アップリンクでの送信をアクノリッジする明示的なフィードバックメッセージを受信しなかったときは、当該アップリンクサブフレームの受信が前記無線アクセスノードで成功したと判定するように構成されている
ことを特徴とする中継ノード。
【請求項１１】
前記制御部は、前記ダウンリンクサブフレームを受信してから４つの送信時間間隔の後のアップリンクサブフレームにおいて、ダウンリンクサブフレームについてのアクノリッジメントフィードバックメッセージを送信するように構成されていることを特徴とする請求項１０に記載の中継ノード。
【請求項１２】
ユーザ装置に対して情報をダウンリンクで送信するための複数のダウンリンクサブフレームを割り当てるように構成されたスケジューラをさらに備え、
サブフレームは、制御領域と、前記送信される情報を含む情報領域とを有し、
前記スケジューラは、前記制御領域を超えて受信されるデータが無いことを前記ユーザ装置に示すタイプのサブフレームを割り当てるように構成されている
ことを特徴とする請求項１０または１１に記載の中継ノード。
【請求項１３】
前記ＨＡＲＱ制御器は、前記無線アクセスノードから受信したアップリンクグラントに、新しいデータを示すインジケータが含まれているかどうかをチェックするように構成さており、
当該ＨＡＲＱ制御器は、前記アップリンクグラントに前記インジケータが含まれている場合に、新しいデータを送信し、前記アップリンクグラントに前記インジケータが含まれていない場合に、既に送信済みのデータを再送信するように構成されている
ことを特徴とする請求項１０ないし１２のいずれか１項に記載の中継ノード。
【請求項１４】
無線通信ネットワークにおいて無線アクセスノードと中継ノードとの間での情報の送信を制御する方法であって、当該情報は複数のサブフレームのシーケンスによって送信され、サブフレームは、制御領域と、前記送信される情報を含む情報領域とを有し、サブフレームは、送信時間間隔に対応しており、前記無線アクセスノードからのダウンリンクサブフレームによりスケジューリング割り当てを受信してから４つの送信時間間隔の後に、前記無線アクセスノードへアップリンクで送信するためのアップリンクサブフレームにより情報が送信され、
前記アップリンクサブフレームによる前記アップリンクでの送信をアクノリッジする明示的なフィードバックメッセージを受信しなかった場合に、前記無線アクセスノードにおいて前記アップリンクサブフレームの受信が成功したと判定する
ことを特徴とする方法。
【請求項１５】
前記無線アクセスノードから前記中継ノードへダウンリンクで情報を送信するためのダウンリンクサブフレームのために、同一の送信時間間隔に含まれる前記ダウンリンクサブフレームが構成されている場合、ユーザ装置へのダウンリンクサブフレームは、前記制御領域を超えて受信されるデータが無いことを前記ユーザ装置に示すタイプのサブフレームとして構成され、
前記ユーザ装置から前記中継ノードへのアップリンク送信は、前記中継ノードから前記無線アクセスノードへのアップリンクでの送信のために構成されたサブフレームには、割り当てられない
ことを特徴とする請求項１４に記載の方法。
【請求項１６】
アップリンクサブフレームにおけるダウンリンクサブフレームについてのアクノリッジメントフィードバックメッセージは、当該ダウンリンクサブフレームを受信してから４つの送信時間間隔の後に、送信されることを特徴とする請求項１４または１５に記載の方法。
【国際調査報告】
2013502793.tif 000009
2013502793.tif 000010
2013502793.tif 000011
2013502793.tif 000012
2013502793.tif 000013
2013502793.tif 000014
2013502793.tif 000015
2013502793.tif 000016